(57)【特許請求の範囲】
【請求項１】
タッチスクリーンと、
自機が水に接するような状態で水中にあるか否かを判定するための情報を取得する第１のセンサと、
乗り物に乗車中の状態にあるかを判定するための情報を取得する第２のセンサと、
前記第１のセンサが取得した情報に基づいて、自機が水に接するような状態で水中にあると判定した場合、前記第２のセンサにより取得される前記情報を検出しても検出結果を破棄することで前記乗り物に乗車中の状態にあるかを判定する処理を実行しないように制御する一方で、
前記第１のセンサが取得した情報に基づいて、自機が水に接するような状態で水中にあると判定しない場合、前記乗り物に乗車中の状態にあるかを判定する処理を実行するように制御するコントローラとを備え、
前記第１のセンサは少なくとも前記タッチスクリーンを含む携帯機器。
【請求項２】
タッチスクリーンと、自機が水に接するような状態で水中にあるか否かを判定するための情報を取得する第１のセンサと、乗り物に乗車中の状態にあるかを判定するための情報を取得する第２のセンサとを備える携帯機器により実行される制御方法であって、
前記第１のセンサが取得した情報に基づいて、自機が水に接するような状態で水中にあるか否かを判定するステップと、
自機が水に接するような状態で水中にあると判定した場合、前記第２のセンサにより取得される前記情報を検出しても検出結果を破棄することで前記乗り物に乗車中の状態にあるかを判定する処理を実行しないように制御するステップと、
自機が水に接するような状態で水中にあると判定しない場合、前記乗り物に乗車中の状態にあるかを判定する処理を実行するように制御するステップとを含み、
前記第１のセンサは少なくとも前記タッチスクリーンを含む制御方法。
【請求項３】
タッチスクリーンと、自機が水に接するような状態で水中にあるか否かを判定するための情報を取得する第１のセンサと、乗り物に乗車中の状態にあるかを判定するための情報を取得する第２のセンサとを備える携帯機器に、
前記第１のセンサが取得した情報に基づいて、自機が水に接するような状態で水中にあるか否かを判定するステップと、
自機が水に接するような状態で水中にあると判定した場合、前記第２のセンサにより取得される前記情報を検出しても検出結果を破棄することで前記乗り物に乗車中の状態にあるかを判定する処理を実行しないように制御するステップと、
自機が水に接するような状態で水中にあると判定しない場合、前記乗り物に乗車中の状態にあるかを判定する処理を実行するように制御するステップとを実行させ、
前記第１のセンサは少なくとも前記タッチスクリーンを含む制御プログラム。
【発明の詳細な説明】
【技術分野】
【０００１】
本出願は、携帯機器、制御方法及び制御プログラムに関する。
【背景技術】
【０００２】
従来、付着した水を検出できる電子機器がある。
【先行技術文献】
【特許文献】
【０００３】
【特許文献１】特開２０１２−１２３７４０号公報
【発明の概要】
【発明が解決しようとする課題】
【０００４】
水の検出に応じて実行される処理に改善の余地がある。
【課題を解決するための手段】
【０００５】
１つの態様に係る携帯機器は、第１のセンサと、第２のセンサと、コントローラとを備える。第１のセンサは、自機が水中にあるかを判定するための情報を取得する。第２のセンサは、乗り物に乗車中の状態にあるかを判定するための情報を取得する。コントローラは、自機が水中にあると判定した場合、乗り物に乗車中の状態にあるかを判定する処理を実行しないように制御する。一方で、コントローラは、自機が水中にあると判定しない場合、前記乗り物に乗車中の状態にあるかを判定する処理を実行するように制御する。
【０００６】
１つの態様に係る制御方法は、自機が水中にあるかを判定するための情報を取得する第１のセンサと、乗り物に乗車中の状態にあるかを判定するための情報を取得する第２のセンサとを備える携帯機器により実行される制御方法であって、自機が水中にあるかを判定するステップと、自機が水中にあると判定した場合、前記乗り物に乗車中の状態にあるかを判定する処理を実行しないように制御するステップと、自機が水中にあると判定しない場合、前記乗り物に乗車中の状態にあるかを判定する処理を実行するように制御するステップとを含む。
【０００７】
１つの態様に係る制御プログラムは、自機が水中にあるかを判定するための情報を取得する第１のセンサと、乗り物に乗車中の状態にあるかを判定するための情報を取得する第２のセンサとを備える携帯機器に、自機が水中にあるかを判定するステップと、自機が水中にあると判定した場合、前記乗り物に乗車中の状態にあるかを判定する処理を実行しないように制御するステップと、自機が水中にあると判定しない場合、前記乗り物に乗車中の状態にあるかを判定する処理を実行するように制御するステップとを実行させる。
【図面の簡単な説明】
【０００８】
【図１】図１は、１つの実施形態に係るスマートフォンの機能構成を示すブロック図である。
【図２】図２は、１つの実施形態に係るスマートフォンの処理の流れを示すフローチャートである。
【発明を実施するための形態】
【０００９】
本出願に係る携帯機器、制御方法及び制御プログラムを実施するための複数の実施形態を、図面を参照しつつ詳細に説明する。以下では、本出願に係る携帯機器の一例として、スマートフォンを取り上げて説明する。
【００１０】
図１を参照しつつ、複数の実施形態の一例に係るスマートフォン１の機能構成の一例を説明する。図１は、スマートフォン１の機能構成を示すブロック図である。以下の説明において、同様の構成要素について同一の符号を付すことがある。さらに、重複する説明は省略することがある。以下の説明において、スマートフォン１を「自機」と表記する場合がある。
【００１１】
図１に示すように、スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２と、カメラ１３と、コネクタ１４と、加速度センサ１５と、方位センサ１６と、気圧センサ１７とを備える。
【００１２】
タッチスクリーンディスプレイ２は、ディスプレイ２Ａと、タッチスクリーン２Ｂとを有する。ディスプレイ２Ａ及びタッチスクリーン２Ｂは、例えば、重なって位置してもよいし、並んで位置してもよいし、離れて位置してもよい。ディスプレイ２Ａとタッチスクリーン２Ｂとが重なって位置する場合、例えば、ディスプレイ２Ａの１ないし複数の辺は、タッチスクリーン２Ｂのいずれの辺とも沿っていなくてもよい。タッチスクリーンディスプレイ２は、表示部の一例である。
【００１３】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等のオブジェクトを画面内に表示する。ディスプレイ２Ａが表示する文字、画像、記号、及び図形等のオブジェクトを含む画面は、ロック画面と呼ばれる画面、ホーム画面と呼ばれる画面、アプリケーションの実行中に表示されるアプリケーション画面を含む。ホーム画面は、デスクトップ、待受画面、アイドル画面、標準画面、アプリ一覧画面又はランチャー画面と呼ばれることもある。ディスプレイ２Ａは、表示部の一例である。
【００１４】
タッチスクリーン２Ｂは、タッチスクリーン２Ｂに対する指、ペン、又はスタイラスペン等の接触又は近接を検出する。タッチスクリーン２Ｂは、複数の指、ペン、又はスタイラスペン等がタッチスクリーン２Ｂに接触又は近接したときのタッチスクリーン２Ｂ上の位置を検出することができる。タッチスクリーン２Ｂが検出する複数の指、ペン、及びスタイラスペン等は、「指」と表記する場合がある。タッチスクリーン２Ｂが検出した指が接触又は近接した位置を「検出位置」と表記する場合がある。タッチスクリーン２Ｂは、タッチスクリーン２Ｂに対する指の接触を、検出位置とともにコントローラ１０に通知する。タッチスクリーン２Ｂが行える動作を、タッチスクリーン２Ｂを有するタッチスクリーンディスプレイ２は実行できる。言い換えると、タッチスクリーン２Ｂが行う動作は、タッチスクリーンディスプレイ２が行ってもよい。ある実施形態において、タッチスクリーン２Ｂは、自機が水中にあるかを判定するための情報を取得する。タッチスクリーン２Ｂは、検出方式として静電容量方式を採用する場合、自機が水中にあるかを判定するための情報として静電容量の変化を測定する。タッチスクリーン２Ｂは、当該タッチスクリーン２Ｂに格子状に張り巡らされた複数のセンサ電極のそれぞれに対して所定の信号を印加し、各センサ電極からの出力値を読み取ることを繰り返す。これにより、タッチスクリーン２Ｂは、当該タッチスクリーン２Ｂ上の検出点における静電容量の変化を測定できる。他の検出方式として抵抗膜方式又は荷重検出方式を採用する場合、タッチスクリーン２Ｂは、自機が水中にあるかを判定するための情報として、例えば、電圧の大きさの変化を検出してもよい。他の検出方式として表面弾性波方式を採用する場合、タッチスクリーン２Ｂは、自機が水中にあるかを判定するための情報として、例えば、自機が発信する表面弾性波の減衰を検出してもよい。他の検出方式として赤外線方式を採用する場合、タッチスクリーン２Ｂは、自機が水中にあるかを判定するための情報として、例えば、自機が発信する赤外線光の減衰を検出してもよい。タッチスクリーン２Ｂは、第１のセンサの一例である。
【００１５】
コントローラ１０は、タッチスクリーン２Ｂにより検出された接触、接触が検出された位置、接触が検出された位置の変化、接触が検出された間隔、及び接触が検出された回数の少なくとも１つに基づいて、ジェスチャの種別を判別する。コントローラ１０が行える動作を、コントローラ１０を有するスマートフォン１は実行できる。言い換えると、コントローラ１０が行う動作は、スマートフォン１が行ってもよい。ジェスチャは、指を用いて、タッチスクリーン２Ｂに対して行われる操作である。タッチスクリーン２Ｂに対して行われる操作は、タッチスクリーン２Ｂを有するタッチスクリーンディスプレイ２に行われてもよい。コントローラ１０が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００１６】
ボタン３は、利用者からの操作入力を受け付ける。ボタン３の数は、単数であっても、複数であってもよい。
【００１７】
照度センサ４は、照度を検出する。照度は、照度センサ４の測定面の単位面積に入射する光束の値である。照度センサ４は、例えば、ディスプレイ２Ａの輝度の調整に用いられる。
【００１８】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２Ａと顔とが接近したことを検出する。照度センサ４及び近接センサ５は、１つのセンサとして構成されていてもよい。照度センサ４は、近接センサとして用いられてもよい。
【００１９】
通信ユニット６は、無線により通信する。通信ユニット６によってサポートされる無線通信規格には、例えば、２Ｇ、３Ｇ、４Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。ＷＰＡＮの通信規格には、例えば、ＺｉｇＢｅｅ（登録商標）が含まれる。通信ユニット６は、上述した通信規格の１つ又は複数をサポートしていてもよい。
【００２０】
レシーバ７は、コントローラ１０から送信される音信号を音として出力する。レシーバ７は、例えば、スマートフォン１にて再生される動画の音、音楽の音、及び通話時の相手の声を出力することができる。マイク８は、利用者の声等を音信号へ変換してコントローラ１０へ送信する。
【００２１】
ストレージ９は、プログラム及びデータを記憶できる。ストレージ９は、コントローラ１０の処理結果を一時的に記憶する作業領域として利用してもよい。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２２】
ストレージ９に記憶されるプログラムには、フォアグランド又はバックグランドで実行されるアプリケーションと、アプリケーションの動作を支援する基本プログラム（図示略）とが含まれる。アプリケーションの画面は、例えば、フォアグランドで実行される場合に、ディスプレイ２Ａに表示される。基本プログラムには、例えば、ＯＳが含まれる。アプリケーション及び基本プログラムは、通信ユニット６による無線通信又は非一過的な記憶媒体を介してストレージ９にインストールされてもよい。
【００２３】
ストレージ９は、制御プログラム９Ａ、カメラアプリケーション９Ｂ、電話アプリケーション９Ｃ、乗り物判定フラグ管理テーブル９Ｄ及び設定データ９Ｚなどを記憶できる。
【００２４】
制御プログラム９Ａは、第１のセンサにより取得された情報に基づいて、自機が水中にあるかを判定する機能を提供できる。第１のセンサは、タッチスクリーン２Ｂ及び気圧センサ１７の少なくとも一方を含む。制御プログラム９Ａを実行するコントローラ１０により、タッチスクリーン２Ｂにより取得された情報、及び気圧センサ１７により取得された情報の少なくとも一方を用いて、自機が水中にあるかを判定する処理が実現される。制御プログラム９Ａを実行するコントローラ１０により、タッチスクリーン２Ｂ上の検出点における静電容量の変化が、自機が水中にあるときの所定の変化と所定の確度で一致するかに基づいて自機が水中にあるかを判定する処理が実現される。制御プログラム９Ａを実行するコントローラ１０により、自機に作用する気圧の単位時間当たりの変化（傾き）が、自機が水中にあるときの気圧変化と所定の確度で一致するかに基づいて自機が水中にあるかを判定する処理が実現される。
【００２５】
制御プログラム９Ａは、第２のセンサにより取得された情報に基づいて、乗り物に乗車中の状態にあるかを判定する機能を提供できる。乗り物に乗車中の状態は、スマートフォン１を携帯している当該スマートフォン１の利用者が乗り物に乗車中の状態を含む。第２のセンサは、加速度センサ１５を含む。制御プログラム９Ａを実行するコントローラ１０により、加速度センサ１５の検出結果に基づいて、自機が乗り物に乗車中の状態にあるかを判定する処理が実現される。
【００２６】
制御プログラム９Ａは、第１のセンサにより取得された情報に基づき、自機が水中にあると判定すると、乗り物に乗車中の状態にあるかを判定する処理を実行しないように制御する機能を提供できる。一方で、制御プログラム９Ａは、第１のセンサにより取得された情報に基づき、自機が水中にあると判定しない場合、乗り物判定処理を実行するように制御する機能を提供することもできる。乗り物に乗車中の状態にあるかを判定する処理（以下、乗り物判定処理）を実行しないように制御する場合、乗り物判定処理を実行不可の状態とする、或いは乗り物判定処理に必要な加速度センサ１５の検出結果を自動破棄するなどの種々方法により提供されてよい。
【００２７】
カメラアプリケーション９Ｂは、静止画像及び動画像の撮影、編集並びに管理などを行うための機能を提供できる。電話アプリケーション９Ｃは、無線通信による通話のための通話機能を提供できる。
【００２８】
乗り物判定フラグ管理テーブル９Ｄは、乗り物判定処理が実行可能な状態であるかを管理する。制御プログラム９Ａを実行するコントローラ１０は、乗り物判定処理を実行する際、乗り物判定フラグ管理テーブル９Ｄに書き込まれた判定フラグを参照し、乗り物判定処理の実行の可否を決定する。制御プログラム９Ａを実行するコントローラ１０は、乗り物判定フラグ管理テーブル９Ｄに書き込まれた判定フラグが「ＯＮ」である場合、乗り物判定処理を実行する。これとは反対に、制御プログラム９Ａを実行するコントローラ１０は、乗り物判定フラグ管理テーブル９Ｄに書き込まれた判定フラグが「ＯＦＦ」である場合、乗り物判定処理を実行しない。
【００２９】
設定データ９Ｚは、制御プログラム９Ａなどにより提供される機能に基づいて実行される処理に用いられる各種データを含んで構成される。設定データ９Ｚは、スマートフォン１を携帯している当該スマートフォン１の利用者が乗り物に乗車中の状態であるときの加速度センサ１５の実際の測定結果を判定用参照情報として含む。判定用参照情報は、スマートフォン１に作用する加速度の方向及び大きさ、加速度の方向及び大きさの時系列変化で構成される加速度パターンを含んで構成される。設定データ９Ｚは、自機が水中にあるかを判定するための静電容量の変化に関するデータを含む。設定データ９Ｚは、自機が水中にあるかを判定するための気圧の値に関する所定条件に関するデータを含む。
【００３０】
コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含んでもよいが、これらに限定されない。コントローラ１０は、スマートフォン１の動作を統括的に制御して各種の機能を実現する。コントローラ１０は、制御部の一例である。
【００３１】
具体的には、コントローラ１０は、ストレージ９に記憶されているデータを必要に応じて参照しつつ、ストレージ９に記憶されているプログラムに含まれる命令を実行する。コントローラ１０は、データ及び命令に応じて機能部を制御し、それによって各種機能を実現する。機能部は、例えば、ディスプレイ２Ａ、通信ユニット６、マイク８、及びスピーカ１１の少なくとも１つを含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、方位センサ１６及び気圧センサ１７の少なくとも１つを含むが、これらに限定されない。
【００３２】
コントローラ１０は、制御プログラム９Ａを実行することにより、第１のセンサにより取得された情報に基づいて、自機が水中にあるかを判定する。コントローラ１０は、制御プログラム９Ａを実行することにより、第２のセンサにより取得された情報に基づいて、乗り物判定処理を行う。コントローラ１０は、制御プログラム９Ａを実行することにより、自機が水中にあると判定した場合、乗り物判定処理を実行しないように制御する一方で、自機が水中にあると判定しない場合、乗り物判定処理を実行するように制御する。
【００３３】
スピーカ１１は、音出力部を含む。スピーカ１１は、コントローラ１０から送信される音信号を音として出力する。スピーカ１１は、例えば、着信音及び音楽を出力してもよい。レシーバ７及びスピーカ１１の一方が、他方の機能を兼ねてもよい。
【００３４】
カメラ１２及びカメラ１３は、撮影した画像を電気信号へ変換できる。カメラ１２は、ディスプレイ２Ａに面している物体を撮影するインカメラでもよい。カメラ１３は、ディスプレイ２Ａの反対側の面に面している物体を撮影するアウトカメラでもよい。カメラ１２及びカメラ１３は、インカメラ及びアウトカメラを切り換えて利用可能なカメラユニットとして、機能的及び物理的に統合された状態でスマートフォン１に実装されてもよい。
【００３５】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００３６】
加速度センサ１５は、スマートフォン１に作用する加速度の方向及び大きさを測定できる。加速度センサ１５は、第２のセンサの一例である。方位センサ１６は、例えば、地磁気の向きを検出し、地磁気の向きに基づいて、スマートフォン１の向き（方位）を測定できる。
【００３７】
気圧センサ１７は、スマートフォン１に作用する気圧を測定できる。気圧センサ１７は、第１のセンサの一例である。
【００３８】
スマートフォン１は、上記の各機能部の他、ＧＰＳ受信機、及びバイブレータを備えてもよい。ＧＰＳ受信機は、ＧＰＳ衛星からの所定の周波数帯の電波信号を受信できる。ＧＰＳ受信機は、受信した電波信号の復調処理を行って、処理後の信号をコントローラ１０に送出する。ＧＰＳ受信機は、スマートフォン１の現在位置の演算処理をサポートする。バイブレータは、スマートフォン１の一部又は全体を振動させる。バイブレータは、振動を発生させるために、例えば、圧電素子、又は偏心モータなどを有する。バッテリなど、スマートフォン１の機能を維持するために当然に用いられる機能部、及びスマートフォン１の制御を実現するために当然に用いられる制御部は、スマートフォン１に実装される。
【００３９】
図２を参照しつつ、実施形態に係るスマートフォン１により実行される処理の流れを説明する。図２は、１つの実施形態に係るスマートフォンの処理の一例を示すフローチャートである。図２に示す処理は、コントローラ１０が、ストレージ９に記憶されている制御プログラム９Ａを実行することにより実現される。図２に示す処理は、スマートフォン１の起動中、図２に示す処理を終了する操作が行われない限り、繰り返し実行される。
【００４０】
図２に示すように、コントローラ１０は、タッチスクリーン２Ｂの検出結果および気圧センサ１７の検出結果の少なくとも一方を用いて、自機が水中にあるかを判定する（ステップＳ１０１）。
【００４１】
コントローラ１０は、自機が水中にあると判定した場合（ステップＳ１０１，Ｙｅｓ）、乗り物判定フラグ管理テーブル９Ｄに記録された乗り物判定処理の判定フラグを参照し、乗り物判定処理の判定フラグが「ＯＮ」であるかを判定する（ステップＳ１０２）。
【００４２】
コントローラ１０は、判定の結果、乗り物判定処理の判定フラグが「ＯＮ」である場合（ステップＳ１０２，Ｙｅｓ）、乗り物判定フラグ管理テーブル９Ｄに記録された乗り物判定処理の判定フラグを「ＯＦＦ」に書き換えて（ステップＳ１０３）、ステップＳ１０１の判定に戻る。
【００４３】
一方、コントローラ１０は、ステップＳ１０２の判定の結果、乗り物判定処理の判定フラグが「ＯＮ」ではない場合（ステップＳ１０２，Ｎｏ）、ステップＳ１０１の判定に戻る。
【００４４】
上記ステップＳ１０１において、コントローラ１０は、自機が水中にあると判定しない場合（ステップＳ１０１，Ｎｏ）、乗り物判定フラグ管理テーブル９Ｄに記録された乗り物判定処理の判定フラグを参照し、乗り物判定処理の判定フラグが「ＯＦＦ」であるかを判定する（ステップＳ１０４）。
【００４５】
コントローラ１０は、判定の結果、乗り物判定処理の判定フラグが「ＯＦＦ」である場合（ステップＳ１０４，Ｙｅｓ）、乗り物判定フラグ管理テーブル９Ｄに記録された乗り物判定処理の判定フラグを「ＯＮ」に書き換えて（ステップＳ１０５）、ステップＳ１０１の判定に戻る。
【００４６】
一方、コントローラ１０は、ステップＳ１０４の判定の結果、乗り物判定処理の判定フラグが「ＯＦＦ」ではない場合（ステップＳ１０４，Ｎｏ）、ステップＳ１０１の判定に戻る。
【００４７】
上記実施形態において、スマートフォン１は、自機が水中にあると判定した場合、乗り物判定処理を実行しないように制御する一方で、自機が水中にあると判定しない場合、乗り物判定処理を実行するように制御する。よって、上記の実施形態によれば、スマートフォン１は、水中であるにも関わらず、乗り物に乗車中の状態にあると誤って判定してしまうことを防止できる。このため、スマートフォン１は、水の検出に応じて実行される処理において、乗り物に乗車中の状態にあるという判定に応じた処理が実行されることを防止できる。例えば、歩数、階段及び斜面の上り下り、乗り物への乗車、消費カロリー、心拍数など、利用者の日常活動に関する記録を行うアプリケーションなどの処理精度を向上できる。このようにして、上記の実施形態におけるスマートフォン１は、水の検出に応じて実行される処理を改善できる。
【００４８】
上記の実施形態で説明した処理は、スマートフォン１以外にも、水中で操作することが想定される他の電子機器についても同様に適用できる。
【００４９】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００５０】
１  スマートフォン
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  カメラアプリケーション
９Ｃ  電話アプリケーション
９Ｄ  乗り物判定フラグ管理テーブル
９Ｚ  設定データ
１０  コントローラ
１１  スピーカ
１２  カメラ
１３  カメラ
１４  コネクタ
１５  加速度センサ
１６  方位センサ
１７  気圧センサ
【図１】
0006261546.tif 000002
【図２】
0006261546.tif 000003